(57)【要約】【課題】台紙をブリスター本体に確実に保持させて商品を収納すると共に、美観を損ねないスライド式ブリスターパックを提供する。【解決手段】ブリスター本体２は２つのスライド部５ａ，５ｂを構成する折曲端縁部６ａ，６ｂそれぞれに折曲端縁部６ａ，６ｂ主面から突起した係合リブ７ａ，７ｂを有し、台紙３は、係合リブ７ａ，７ｂが挿入され、係合リブ７ａ，７ｂをスライド挿入方向に移動可能に係止する係合溝穴８ａ，８ｂを有しており、台紙３が２つのスライド部５ａ，５ｂにスライド挿入されながら、係合リブ７ａ，７ｂが係合溝穴８ａ，８ｂに挿入されてブリスター本体２と台紙３とが係合される。【選択図】図５
2008239215.tif 000002
【特許請求の範囲】
【請求項１】
対向する端縁部が夫々折り曲げられて２つのスライド溝部を形成したブリスター本体と、該２つのスライド溝部にスライド挿入された台紙部材とからなり、ブリスター本体と台紙部材との間に形成される空間に被収納物が収納されるスライド式ブリスターパックにおいて、
前記ブリスター本体は２つのスライド溝部を構成する折曲端縁部それぞれに折曲端縁部主面から突起した係合リブを有し、
前記台紙部材は、前記係合リブが挿入され、該係合リブを前記スライド挿入方向に移動可能に係止する係合溝穴を有しており、
前記台紙部材が前記２つのスライド溝部にスライド挿入されながら、前記係合リブが前記係合溝穴に挿入されて前記ブリスター本体と台紙部材とが係合されることを特徴とするスライド式ブリスターパック。
【請求項２】
前記係合溝穴は、前記係合リブを挿入する案内穴と挿入された係合リブがスライド移動するためのスライド挿抜方向に伸びるスライド溝穴とからなることを特徴とする請求項１に記載のスライド式ブリスターパック。
【請求項３】
前記係合リブは、突起上部の幅Ｄ１が突起下部の幅Ｄ２よりも大きくなっており、前記係合スライド溝穴の幅をＷとしたとき、Ｄ１＞Ｗ＞Ｄ２の関係が成立することを特徴とする請求項２に記載のスライド式ブリスターパック。
【請求項４】
前記係合リブは、前記スライド溝部を構成する前記ブリスター本体の折曲端縁部に折り曲げ内側に突起して設けられていることを特徴とする請求項１に記載のスライド式ブリスターパック。
【請求項５】
前記係合リブは、前記ブリスター本体の剛性を確保するために設けられるリブのコーナー部に当接する位置に形成されることを特徴とする請求項１に記載のスライド式ブリスターパック。
【発明の詳細な説明】
【技術分野】
【０００１】
本発明は、スライド式ブリスターパックに関して、特にフックハンガーに吊るす吊孔を備えたスライド式ブリスターパックの改良に関するものである。
【背景技術】
【０００２】
従来、ブリスターパックは、ディスクやビデオカセットの様な記録及び再生が可能な記録媒体商品や乾電池やイヤホンなどの小型電気商品を収容する容器として、近年多用されるようになってきた。
【０００３】
商品を収納した透明ブリスターパックの使用形態としては、例えば店頭のフックハンガーに吊るしたり、陳列棚に配列したりして、顧客がブリスターパックを手にとって中身を確認できるものが一般的に知られている。
【０００４】
図１は従来のスライド式ブリスターパックの概略斜視図であり、図２はその構成を示す斜視図である（例えば、特許文献１参照。）。
図１，図２に示すように、ブリスターパック１１０は、厚紙やプラスチック薄板などから成る矩形の台紙１３０と、プラスチックを成型し、商品収納用の凹部１２１を形成したブリスター本体１２０と、さらにブリスター本体１２０と台紙１３０にはそれぞれ吊り孔１２９ａ,１２９ｂとを備えて成る。ブリスター本体１２０において、符号１２２は台紙１３０挿抜方向である長手方向のスライド部、符号１２３は長手方向の折曲端縁部、符号１２４は折曲端縁部１２３とブリスター本体１２０とで形成したスライド溝部、符号１２５は台紙１３０挿抜方向に対して直交する方向である短手方向のストッパ部、符号１２６は短手方向の折曲端縁部、符号１２７は折曲端縁部１２６とブリスター本体１２０とで形成したストッパ溝部である。また符号１２８はストッパ溝部１２７とは反対側に設けられた折返部である。
【０００５】
そして、台紙１３０を対向する２つのスライド部１２２のスライド溝部１２４に、図中矢印Ａ方向（長手方向）に向けて、ストッパ溝部１２７まで押し込む。このとき、台紙１３０は２つのスライド部１２２とストッパ部１２５それぞれの折曲端縁部１２３，１２６の弾力性のある押圧力によって、ブリスター本体１２０に対して保持される（図２（ｂ），（ｃ））。
【０００６】
次いで、図３に示すように、折返部１２８が台紙１３０の上面に覆いかぶさるように、図中矢印Ｂ方向に折り返される。そして、折返部１２８の端縁１２８ａ，１２８ｂを台紙１３０に形成されたスリット１３１に滑り込ませながら差し込むようになっている。これにより、台紙１３０とブリスター本体１２０の保持性を高めていると共に、商品を確実に収納する。
【０００７】
しかしながら、前記従来のスライド式ブリスターパックには次に述べるような問題があった。すなわち、商品輸送や店頭内の環境変化（温度・湿度）によっては、図４に示すように、二次的（加熱）に折り曲げたスライド部１２２とストッパ部１２５の折曲端縁部１２３，１２６は、ブリスター本体１２０に対して開こうとする反発力Ｃ（以下、反りと記す）が生じ易かった。特に、スライド部１２２は折り曲げ範囲が広いためストッパ部１２５と比較し反り易く、台紙１３０に対する保持力が低下することがあった。このような場合、特に店頭においては、顧客がブリスターパック１１０を手にとって商品を確認する場合があるため、収納された商品がはみ出したり、不意に商品を落としたりしてしまい、最悪のケースは商品自体が損傷し使えなくなる危険性があった。さらに、スライド部が反った状態は、商品陳列上、ブリスターパックとして美観を損ねてしまっていた。
【０００８】
また、特許文献２では、折返部（フラップ）に設けた突起で、フラップの遊端側の爪片を押し上げ、スリットの台紙の厚みで係止させて抜け止め機能を持たせる発明が開示されているが、前述したスライド部、ストッパ部の問題を改善するものではなかった。
【０００９】
【特許文献１】特開２００１−９７４４６号公報
【特許文献２】特許第３７６３８３８号公報
【発明の開示】
【発明が解決しようとする課題】
【００１０】
本発明は、以上の従来技術における問題に鑑みてなされたものであり、台紙をブリスター本体に確実に保持させて商品を収納すると共に、美観を損ねないスライド式ブリスターパックを提供することを目的とする。
【課題を解決するための手段】
【００１１】
前記課題を解決するために提供する本発明は、対向する端縁部が夫々折り曲げられて２つのスライド溝部を形成したブリスター本体と、該２つのスライド溝部にスライド挿入された台紙部材とからなり、ブリスター本体と台紙部材との間に形成される空間に被収納物が収納されるスライド式ブリスターパックにおいて、前記ブリスター本体は２つのスライド溝部を構成する折曲端縁部それぞれに折曲端縁部主面から突起した係合リブを有し、前記台紙部材は、前記係合リブが挿入され、該係合リブを前記スライド挿入方向に移動可能に係止する係合溝穴を有しており、前記台紙部材が前記２つのスライド溝部にスライド挿入されながら、前記係合リブが前記係合溝穴に挿入されて前記ブリスター本体と台紙部材とが係合されることを特徴とするスライド式ブリスターパックである。
【００１２】
ここで、前記係合溝穴は、前記係合リブを挿入する案内穴と挿入された係合リブがスライド移動するためのスライド挿抜方向に伸びるスライド溝穴とからなることが好ましい。このとき、前記係合リブは、突起上部の幅Ｄ１が突起下部の幅Ｄ２よりも大きくなっており、前記係合スライド溝穴の幅をＷとしたとき、Ｄ１＞Ｗ＞Ｄ２の関係が成立することが好適である。
【００１３】
また、前記係合リブは、前記スライド溝部を構成する前記ブリスター本体の折曲端縁部に折り曲げ内側に突起して設けられていることが好ましい。
【００１４】
さらに、前記係合リブは、前記ブリスター本体の剛性を確保するために設けられるリブのコーナー部に当接する位置に形成されることが好適である。
【発明の効果】
【００１５】
本発明によれば、ブリスター本体と台紙部材とをブリスター本体に設けた係合リブと台紙部材に設けた係合溝穴とで係合させることで、スライド部が台紙部材を保持しつつ、該スライド部の折り曲げも保持されるので、環境変化にも対応した商品収納が確実にでき、さらに、見た目も美麗なスライド式ブリスターパックを提供することができる。また、従来のホッチキスやセロハンテープでの二次固定もなくなり、安価なスライド式ブリスターパックの提供も実現可能となる。
【発明を実施するための最良の形態】
【００１６】
以下に、本発明に係るスライド式ブリスターパックの一実施の形態における構成について説明する。なお、本発明を図面に示した実施形態をもって説明するが、本発明はこれに限定されるものではなく、実施の態様に応じて適宜変更することができ、いずれの態様においても本発明の作用・効果を奏する限り、本発明の範囲に含まれるものである。
【００１７】
図５は、本発明に係るスライド式ブリスターパックの構成を示す概略図である。図５（ａ）は、スライド式ブリスターパックの全体構成を示しており、図５（ｂ）は台紙３に設けられた係合溝穴の構成を示している。なお、図５において、従来のスライド式ブリスターパック（図２）と同じ構成、機能を有する部分は図２に示した符号と同じ符号で示してある。
【００１８】
図５（ａ）に示すように、本発明に係るブリスターパック１は、厚紙やプラスチック薄板などから成る矩形のシートである台紙３と、プラスチック成型品であって、商品収納用の凹部４が設けられたブリスター本体２と、さらにブリスター本体２と台紙３にそれぞれ吊り孔１２９ａ,１２９ｂとを備えて成るものであり、ブリスター本体２と台紙３を係合した場合に両者の間に形成される空間（凹部４と台紙３で囲まれる空間）に商品が収納されるようになっている。
【００１９】
ブリスター本体２は、透明なプラスチック材料からなる成型品であり、例えばポリエチレンテレフタレート（ＰＥＴ）、ポリスチレン（ＰＳ）、生分解性プラスチックなどからなる。
【００２０】
ブリスター本体２において、符号５ａ，５ｂは台紙３の挿抜方向である長手方向に延び台紙３を挿抜するガイドとなる溝（スライド溝部９ａ，９ｂ）が形成されたスライド部、符号６ａ，６ｂはブリスター本体２の対向する端縁部が折り曲げられたものであり、スライド部５ａ，５ｂを構成する長手方向の折曲端縁部である。また、符号１２５は台紙３挿抜方向に対して直交する方向である短手方向のストッパ部、符号１２６は短手方向の折曲端縁部であり、符号１２８はストッパ１２５とは反対側に設けられた折返部である。また、折曲端縁部６ａ，６ｂにはそれぞれスライド挿入される台紙３が通過する領域に折り曲げ内側に突起して設けられた係合リブ７ａ，７ｂが形成されている。
【００２１】
台紙３において、符号８ａ，８ｂはブリスター本体２にスライド挿入した際にスライド部５ａ，５ｂと接触する台紙３の両サイド部であって係合リブ７ａ，７ｂに対応する位置に設けられた穴であり、挿入される係合リブ７ａ，７ｂを係止することにより、台紙３とブリスター本体２（折曲端縁部６ａ，６ｂ）とを係合する係合溝穴である。また、符号１３１は折返部１２８の端縁を差し込むためのスリットである。
【００２２】
図５（ｂ）に係合溝穴８ａの拡大図を示す。
係合溝穴８ａは、係合リブ７ａの突起上部よりも径が大きな直径Ｄ３の円形の穴であって該係合リブ７ａを係合溝穴８ａに挿入するための案内穴８ａ１と、挿入された係合リブ７ａがスライド移動でき、係合リブ７ａを係止するためのスライド挿抜方向に伸びた長細い形状で幅Ｗのスライド溝穴８ａ２とからなる。なお、案内穴８ａ１は台紙３がスライド挿入される際に係合溝穴８ａの先頭となるようにスライド溝穴８ａ２の片側に設けられている。また、係合溝穴８ｂは、係合溝穴８ａと同様に、直径Ｄ３の円形の穴であって該係合リブ７ｂを係合溝穴８ｂに挿入するための案内穴８ｂ１と、挿入された係合リブ７ｂがスライド移動でき、係合リブ７ｂを係止するためのスライド挿抜方向に伸びた長細い形状で幅Ｗのスライド溝穴８ｂ２とからなり、台紙３の中心線を基準として係合溝穴８ａと線対称となる位置に配置される。また、係合溝穴８ａ，８ｂはそれぞれ折曲端縁部６ａ，６ｂの長手方向中央部に設けることが好ましい。
【００２３】
つぎに、図６に、係合リブ７ａ，７ｂの構成を示す。図６（ａ）は折曲端縁部６ａ，６ｂを折り曲げる前の状態を示しており、図６（ｂ）は係合リブ７ａ，７ｂの拡大図である。
係合リブ７ａ，７ｂは、ブリスター本体２の中心線に対して線対称となる関係で折曲端縁部６ａ，６ｂ主面上に折り曲げた際に折り曲げ内側（すなわちブリスター本体２側）に向くように突起した状態で配置されている（図６（ａ））。また、係合リブ７ａ，７ｂは突起上部の幅Ｄ１が突起下部の幅Ｄ２よりも大きくなる逆円錐状の形状（断面形状が逆台形）を呈するものである（図６（ｂ））。なお、このとき突起上部の幅Ｄ１、突起下部の幅Ｄ２は、係合スライド溝穴８ａ２（８ｂ２）の幅Ｗとの関係において、Ｄ１＞Ｗ＞Ｄ２となるように形成する。また、係合リブ７ａ，７ｂの高さは台紙３の厚さに応じて変化する。なお、このような係合リブ７ａ，７ｂはブリスター本体２自体を加工して形成すればよいが、ブリスター本体２の最初の成型段階に形成するようにしてもよいし、途中のプレス段階で形成するようにしてもよい。ついで、折曲端縁部６ａ，６ｂは加熱されながら図中の点線部分で折り曲げられて、スライド部５ａ，５ｂが形成される。
【００２４】
このようなブリスター本体２と台紙３とを用いて、本発明のスライド式ブリスターパック１はつぎのように組み立てられる。すなわち、まず図５（ａ）において、台紙３をブリスター本体２のストッパ部１２５とは反対側（折返部１２８側）から長手方向（図中矢印Ａ方向）に向けて、２つのスライド部５ａ，５ｂに差し込むように挿入する。挿入は台紙３の先端がストッパ部１２５に押しあたるまで進められるが、その挿入の途中段階で、ブリスター本体２にある係合リブ７ａ，７ｂそれぞれを台紙３にある係合溝穴８ａ，８ｂの案内穴８ａ１，８ｂ１に挿入する。このとき、案内穴８ａ１，８ｂ１の径Ｄ３は係合リブ７ａ，７ｂの突起上部の径Ｄ１よりも大きいため、容易に挿入することができる。ついで、台紙３の挿入に伴って、係合リブ７ａ，７ｂそれぞれも案内穴８ａ１，８ｂ１から挿入方向（Ａ方向）にスライド溝穴８ａ２，８ｂ２に沿って移動する。このとき、スライド溝穴８ａ２，８ｂ２の幅Ｗは係合リブ７ａ，７ｂの突起上部の幅Ｄ１と突起下部の幅Ｄ２の間の幅寸法であることから、係合リブ７ａ，７ｂはスライド溝穴８ａ２，８ｂ２から抜けることなく、該スライド溝穴８ａ２，８ｂ２をガイドレールとしてスライド移動する。そして、スライド溝穴８ａ２，８ｂ２の挿入方向の長さは余裕をもって形成されているので、台紙３の先端がストッパ部１２５の溝部に当接することで挿入が終了する。
【００２５】
このとき、図７に示すように、係合リブ７ａ，７ｂは、前述したＤ１＞Ｗ＞Ｄ２の幅寸法関係によりスライド溝穴８ａ２，８ｂ２から抜けることなく、該スライド溝穴８ａ２，８ｂ２に係止される状態となる。これにより、スライド部５ａ，５ｂとストッパ部１２５それぞれの折曲端縁部６ａ，６ｂ，１２６の弾力性のある押圧力とあいまって、台紙３を長スライド溝部９ａ、９ｂの空間内で確実に保持し、ブリスター本体２と台紙３とを係合することができる。また、台紙３のスライド溝穴８ａ２，８ｂ２が係合リブ７ａ，７ｂのある折曲端縁部６ａ，６ｂを保持しているともいえ、これにより環境変化による折曲端縁部６ａ，６ｂの反りを構造的に回避することができる。さらに、従来以上の防塵性も向上する。
【００２６】
次いで、図３の場合と同様に、折返部１２８が台紙３の上面に覆いかぶさるように折り返され、折返部１２８の端縁１２８ａ，１２８ｂを台紙３に形成されたスリット１３１に滑り込ませながら差し込み、スライド式ブリスターパック１を完成する。
【００２７】
なお、本発明の係合リブ７ａ，７ｂは、円錐状の形状に限定されるものではなく、案内穴８ａ１，８ｂ１に挿入でき、スライド溝穴８ａ２，８ｂ２に沿ってスライド移動でき、該スライド溝穴８ａ２，８ｂ２に係止される構造であればどのような形状でも構わない。また、形成個数も１個に限定されず複数を長手方向均等間隔で形成してもよい。さらに、係合リブ７ａ，７ｂ及び係合溝穴８ａ，８ｂを配置する位置はスライド部５ａ，５ｂのエッジから少し内側に入ったところがよく、図８に示すようにブリスター本体２の剛性を確保するために設けられるリブ２ａのコーナー部に当接する位置に形成することが好ましい。これにより、係合リブ７ａ，７ｂは、折曲端縁部６ａ，６ｂの極端な倒れ防止機能も付与することができる。
【００２８】
また、台紙３をシートを２枚折にした構造とし、係合リブ７ａ，７ｂに接する面（裏面）に係合溝穴８ａ，８ｂを形成するとよい。これにより台紙３の剛性が上がるだけではなく、ブリスターパックのおもて面からは係合リブ７ａ，７ｂ及び係合溝穴８ａ，８ｂが見えなくなるので外観上よくなる。
【図面の簡単な説明】
【００２９】
【図１】従来のスライド式ブリスターパックの概略外観斜視図である。
【図２】従来のスライド式ブリスターパックの構成斜視図及びスライド部の断面拡大図である。
【図３】従来のスライド式ブリスターパックの折返部拡大図である。
【図４】従来のブリスター本体のスライド部折曲端縁部が反った状態を示す図である。
【図５】本発明に係るスライド式ブリスターパックの構成斜視図である。
【図６】本発明に係るスライド式ブリスターパックにおける係合リブの構成を示す概略図である。
【図７】本発明に係るスライド式ブリスターパックの係合リブと係合溝穴との係合状態を示す断面図である。
【図８】本発明に係るスライド式ブリスターパックにおける倒れ防止機能の構成を示す断面図である。
【符号の説明】
【００３０】
１，１１０・・・ブリスターパック、２，１２０・・・ブリスター本体、２ａ・・・リブ、３，１３０・・・台紙、４，１２１・・・凹部、５ａ，５ｂ，１２２・・・スライド部、６ａ，６ｂ，１２３，１２６・・・折曲端縁部、７ａ，７ｂ・・・係合リブ、８ａ，８ｂ・・・係合溝穴、８ａ１，８ｂ１・・・案内穴、８ａ２，８ｂ２・・・スライド溝穴、９ａ，９ｂ，１２４・・・スライド溝部、１２５・・・ストッパ部、１２７・・・ストッパ溝部、１２８・・・折返部、１２８ａ，１２８ｂ・・・折返部端縁、１２９ａ，１２９ｂ・・・吊り孔、１３１・・・スリット
【図１】
2008239215.tif 000003
【図２】
2008239215.tif 000004
【図３】
2008239215.tif 000005
【図４】
2008239215.tif 000006
【図５】
2008239215.tif 000007
【図６】
2008239215.tif 000008
【図７】
2008239215.tif 000009
【図８】
2008239215.tif 000010